【手続補正書】
【提出日】令和3年4月6日(2021.4.6)
【手続補正１】
【補正対象書類名】特許請求の範囲
【補正対象項目名】全文
【補正方法】変更
【補正の内容】
【特許請求の範囲】
【請求項１】
ステント送達システムであって、
遠位セグメントを有するコア部材と、
前記コア部材の遠位セグメントの周りに配置されている結合ユニットであって、前記結合ユニットは、
前記コア部材の遠位セグメントに結合されている近位拘束部と、
前記近位拘束部に対して遠位の位置で前記コア部材の遠位セグメントに結合されている遠位拘束部と、
前記近位拘束部と前記遠位拘束部との間で前記コア部材の遠位セグメントに摺動可能に結合されている２つ以上のプレートと、
前記近位拘束部と前記遠位拘束部との間で前記コア部材の遠位セグメントに結合されている１つ以上のスペーサと
を含み、
前記近位拘束部および前記遠位拘束部は、前記近位拘束部と前記遠位拘束部との間で前記コア部材の遠位セグメントに結合されている前記２つ以上のプレートと前記１つ以上のスペーサとの組み合わせられた長さより長い長手方向距離だけ前記コア部材に沿って離間されている、結合ユニットと、
前記コア部材の遠位セグメントに沿って延びるステントであって、これにより、前記ステントの表面は、前記プレートの少なくとも１つによって係合されている、ステントと
を含む、ステント送達システム。
【請求項２】
前記長手方向距離は、前記プレートが、前記近位拘束部および前記遠位拘束部に対して前記コア部材の遠位セグメントに沿って長手方向に摺動可能な距離である、請求項１に記載のステント送達システム。
【請求項３】
前記１つ以上のスペーサは、２つのプレートの間に配置されているスペーサを含む、請求項１に記載のステント送達システム。
【請求項４】
前記２つ以上のプレートは、第１のプレートと第２のプレートと第３のプレートとを含み、
前記１つ以上のスペーサは、第１のスペーサと第２のスペーサとを含み、
前記第１のスペーサは、前記第１のプレートと前記第２のプレートとの間に配置されており、
前記第２のスペーサは、前記第２のプレートと前記第３のプレートとの間に配置されている、請求項１に記載のステント送達システム。
【請求項５】
前記近位拘束部および前記遠位拘束部は、前記第１のプレートと前記第２のプレートと前記第３のプレートと前記第１のスペーサと前記第２のスペーサとの組み合わせられた長さよりも長い長手方向距離だけ前記コア部材に沿って離間されている、請求項４に記載のステント送達システム。
【請求項６】
前記２つ以上のプレートの少なくとも１つの突起は、前記突起が前記ステントの孔の中に少なくとも部分的に収容されるように、前記ステントと結合されている、請求項１に記載のステント送達システム。
【請求項７】
前記２つ以上のプレートは、前記ステントの長手方向に隣接する孔の中心の間の距離に対応する距離だけ互いに離間されている、請求項１に記載のステント送達システム。
【請求項８】
ステント送達システムであって、
ルーメンと、前記ルーメンに沿って延びる内面とを有するカテーテルと、
前記カテーテルの前記ルーメン内に延びるコア部材と、
前記コア部材に摺動可能に取り付けられている第１のカプラおよび第２のカプラであって、前記第１のカプラおよび前記第２のカプラのそれぞれは、
第１の端面と、第２の端面と、前記第１の端面と前記第２の端面との間に延びる側面と、
前記第１の端面と前記第２の端面とを通って延びる開口部であって、前記コア部材は、前記開口部を通って延び、前記開口部は、前記コア部材の外面と前記カプラの内面との間に半径方向の間隙を画定する、開口部と
を含む、第１のカプラおよび第２のカプラと、
前記コア部材上に取り付けられている１つ以上のスペーサと、
前記第１のカプラおよび前記第２のカプラおよび前記１つ以上のスペーサに対して近位の位置で前記コア部材上に取り付けられている近位拘束部と、
前記第１のカプラおよび前記第２のカプラおよび前記１つ以上のスペーサに対して遠位の位置で前記コア部材に取り付けられている遠位拘束部であって、前記遠位拘束部は、前記第１のカプラと前記第２のカプラと前記１つ以上のスペーサとの組み合わせられた長さよりも長い長手方向距離だけ前記近位拘束部から離間されている、遠位拘束部と、
前記コア部材に沿って延びるステントであって、前記ステントは、前記カテーテルの内面と前記第１のカプラと前記第２のカプラとの間に半径方向に配置されている、ステントと
を含む、ステント送達システム。
【請求項９】
前記ステントは、複数の孔を形成するメッシュを含み、前記第１のカプラおよび前記第２のカプラは、前記ステントの長手方向に隣接する孔の中心の間の距離に対応する距離だけ互いに離間されている、請求項８に記載のステント送達システム。
【請求項１０】
前記スペーサの半径方向の最外寸法は、前記第１のカプラおよび前記第２のカプラの半径方向の最外寸法よりも小さい、請求項８に記載のステント送達システム。
【請求項１１】
前記１つ以上のスペーサは、前記コア部材に対して固定されている、請求項８に記載のステント送達システム。
【請求項１２】
前記１つ以上のスペーサは、前記第１のカプラと前記第２のカプラとの間に配置されているスペーサを含む、請求項８に記載のステント送達システム。
【請求項１３】
前記ステント送達システムは、前記コア部材に摺動可能に取り付けられている第３のカプラをさらに含み、
前記１つ以上のスペーサは、第１のスペーサと第２のスペーサとを含み、
前記第１のスペーサは、前記第１のカプラと前記第２のカプラとの間に配置されており、前記第２のスペーサは、前記第２のカプラと前記第３のカプラとの間に配置されている、請求項８に記載のステント送達システム。
【請求項１４】
前記第１のカプラの側面および前記第２のカプラの側面のそれぞれは、凹部によって分離されている１つ以上の突起を含む、請求項８に記載のステント送達システム。
【請求項１５】
ステントを係合するように構成されているアセンブリであって、
コア部材と、
前記コア部材上に取り付けられている近位拘束部と、
前記近位拘束部の遠位の位置で前記コア部材上に取り付けられている遠位拘束部と、
前記近位拘束部と前記遠位拘束部との間で前記コア部材に摺動可能に結合されている第１のカプラと、
前記近位拘束部と前記遠位拘束部との間の位置で前記コア部材に摺動可能に結合されている第２のカプラと、
前記近位拘束部と前記遠位拘束部との間の位置で前記コア部材に結合されている１つ以上のスペーサと
を含み、
前記近位拘束部および前記遠位拘束部は、前記第１のカプラと前記第２のカプラと前記１つ以上のスペーサとの組み合わせられた長さよりも長い長手方向距離だけ前記コア部材に沿って離間されている、アセンブリ。
【請求項１６】
前記スペーサの半径方向の最外寸法は、前記第１のカプラおよび前記第２のカプラの半径方向の最外寸法よりも小さい、請求項１５に記載のアセンブリ。
【請求項１７】
前記１つ以上のスペーサは、前記第１のカプラと前記第２のカプラとの間に配置されているスペーサを含む、請求項１５に記載のアセンブリ。
【請求項１８】
前記第１のカプラおよび前記第２のカプラのそれぞれは、
第１の端面と、第２の端面と、前記第１の端面と前記第２の端面との間に延びる１つ以上の突起とを含む側面と、
前記第１の端面と前記第２の端面とを通って延びる開口部であって、前記コア部材は、前記開口部を通って延び、前記開口部は、前記コア部材の外面と前記カプラの内面との間の半径方向の間隙を画定する、開口部と
を含む、請求項１５に記載のアセンブリ。
【請求項１９】
前記突起は、丸みを帯びた縁部を含む、請求項１８に記載のアセンブリ。
【請求項２０】
前記１つ以上のスペーサは、前記第１のカプラと前記第２のカプラとの間に配置されているスペーサを含む、請求項１５に記載のアセンブリ。
【請求項２１】
前記アセンブリは、前記コア部材に摺動可能に取り付けられている第３のカプラをさらに含み、
前記１つ以上のスペーサは、第１のスペーサと第２のスペーサとを含み、
前記第１のスペーサは、前記第１のカプラと前記第２のカプラとの間に配置されており、前記第２のスペーサは、前記第２のカプラと前記第３のカプラとの間に配置されている、請求項１５に記載のアセンブリ。
【請求項２２】
前記近位拘束部および前記遠位拘束部は、前記第１のカプラと前記第２のカプラと前記第３のカプラと前記第１のスペーサと前記第２のスペーサとの組み合わせられた長さよりも長い長手方向距離だけ前記コア部材に沿って離間されている、請求項２１に記載のアセンブリ。